(57)【要約】【課題】  小型の簡略な構造で、簡便に使用できるつぼ刺激器具を提供する。【解決手段】  ほぼ円柱の形状を有する主部材２の一方の底面に、尖端部１を設け、他方の底面に二股に分岐した尖端部３ａ、３ｂを設けることで、先端部をつぼに押圧することが可能なつぼ刺激器具を得る。主部材２の内部に空洞を設け、永久磁石や香料を封入した容器を挿入したり、つぼ刺激器具の適当な部位にパワーストンを埋め込んだりすることで、つぼ刺激の効果向上が期待できる。【選択図】図１
2015037453.tif 000002
【特許請求の範囲】
【請求項１】
ほぼ円柱の形状を有する主部材と、前記主部材の一方の底面に設けられてなる尖端部と、前記主部材の他方の底面に設けられてなる二股に分岐した尖端部を有することを特徴とするつぼ刺激器具。
【請求項２】
前記主部材の内部に空洞が設けられ、永久磁石または香料を封入した容器の少なくともいずれかが前記空洞に挿入されてなることを特徴とする、請求項１に記載のつぼ刺激器具。
【請求項３】
前記空洞、前記尖端部、前記二股に分岐した尖端部の少なくともいずれかにパワーストンを埋め込んでなることを特徴とする、請求項１または請求項２に記載のつぼ刺激器具。
【発明の詳細な説明】
【技術分野】
【０００１】  本発明は健康グッズの分野に属し、身体のつぼを圧迫することで刺激する、つぼ刺激器具に関し、特に押圧以外の効果の併用を目的としたものである。【０００２】  つぼとは、中医学で経験的に知られた、身体表面の特定の部位で、これに、指圧、鍼、灸などで刺激を与えることにより、体調の調整や様々な症状の緩和が可能であるとされている。【０００３】  そして、近年においては、指圧などの方法よりも、より高い効果を得ることを目的に、様々なつぼ刺激器具が開発されている。例えば特許文献１には、断熱材を介して接合された複数の熱電素子を用いて、つぼを加熱したり冷却したりする機能を有するつぼ刺激装置が開示されている。【０００４】  また、特許文献２には、握り部と圧迫ヘッドからなり、圧迫ヘッドに発光体、マグネットリング、振動子を組み込むことで、発光体の発熱を利用した温熱効果や、磁力線や振動によるマッサージ効果が得られるつぼ圧迫具が開示されている。【０００５】  しかし、これらの器具は、いずれも電力を用いるものであり、構造が複雑でコストパフォーマンスの観点で改善の余地がある。また、場合によっては光や音が外部に漏れる虞があり、使用場所が限定されることがある。【０００６】  従って、本発明の課題は、小型の簡略な構造で、簡便に使用できるつぼ刺激器具を提供することにある。
【先行技術文献】
【特許文献】
【０００７】
【特許文献１】  特開平１０−２９５７１７号公報
【特許文献２】  特開２０００−０６０９３９号公報
【発明の概要】
【発明が解決しようとする課題】
【０００８】  本発明は、前記課題の解決のため、つぼに刺激を与える部位の形状と、つぼへの押圧以外の刺激を与える機能を有する、つぼ刺激器具の構造を検討した結果、なされたものである。
【課題を解決するための手段】
【０００９】  即ち、本発明は、ほぼ円柱の形状を有する主部材と、前記主部材の一方の底面に設けられてなる尖端部と、前記主部材の他方の底面に設けられてなる二股に分岐した尖端部を有することを特徴とするつぼ刺激器具である。【００１０】  また、本発明は、前記主部材の内部に空洞が設けられ、永久磁石または香料を封入した容器の少なくともいずれかが前記空洞に挿入されてなることを特徴とする、前記のつぼ刺激器具である。【００１１】  また、本発明は、前記空洞、前記尖端部、前記二股に分岐した尖端部の少なくともいずれかにパワーストンを埋め込んでなることを特徴とする、前記のつぼ刺激器具である。
【発明の効果】
【００１２】  本発明による、つぼ刺激器具は、掌に収まる程度の大きさにすることで、先端部を指先などのつぼに押し当てて、つぼを刺激できる他、二股に分岐した尖端部を用いて、例えば指先のつぼを挟んだ状態で押圧することが可能なので、多様なつぼ刺激が可能となる。【００１３】  また、円柱形状の主部材の内部に空洞を設け、永久磁石を挿入することで、つぼへの物理的な押圧以外に磁力線による刺激も可能である。さらに、空洞、尖端部、二股に分岐した尖端部のいずれかに、生体に対して様々な効果を発現すると言われている、水晶、トリマリンを代表とする、いわゆるパワーストンを、挿入したり埋め込んだりすることで、つぼ刺激効果の向上が期待できる。【００１４】  ここで用いる永久磁石としては、磁束密度が高い程、効果が増加すると考えられることから、Ｎｄ−ｅ−Ｂ系やＳｍ−Ｃｏ系の希土類磁石が望ましいが、フェライトのような比較的安価な磁石でも使用可能である。また、主部材内部の空洞には、アロマテラピーに使用される種々の香料を封入した容器を挿入することが可能なので、前記の効果と併用することで、より高い効果が得られることが期待できる。
【図面の簡単な説明】
【００１５】
【図１】  本発明に係るつぼ刺激器具の一例を示す斜視図。
【図２】  本発明に係るつぼ刺激器具の使用例を示す概略図。
【発明を実施するための形態】
【００１６】  次に本発明のつぼ刺激器具の実施の形態を、具体的な図を参照しながら説明する。
【００１７】  図１は、本発明に係るつぼ刺激器具の一例を示す斜視図である。図１において、１は第一の尖端部、２は主部材、３ａ、３ｂは二股に分岐した第二の先端部、４は主部材２の内部に設けられた空洞に挿入された状態の永久磁石である。
【００１８】  このつぼ刺激器具は、全体を木材の切削により製作することが可能であり、高分子材料を射出成形などの方法で成形して製作することも可能である。
【００１９】  また、図１に示した例では、永久磁石４として円盤形状の用いていて、磁化の方向は円盤に底面と垂直な方向となっている。材質としては、前記のＮｄ−Ｆｅ−Ｂ系のような、高磁束密度を発現するものが望ましいのは、前記の通りである。
【００２０】  さらに、ここでは特に具体的な図を示さないが、主部材の内部に設けられている食う℃には、香料を封入した容器を挿入することが可能で、各種パワーストンを空洞に挿入したり、つぼ刺激器具の適当な部位に埋め込んだりすることで、効果向上が期待されることも、前記の通りである。
【００２１】  以上に説明したように、本発明よれば、小型で複数の機能を具備するつぼ刺激器具を提供できる。このつぼ刺激器具は、前記のように小型で携帯も可能なので、場所や時間に制限がなく使用でき、例えば通勤電車の中で、掌で握りしめたり、手、指のつぼを押圧したりするような使用方法が可能である。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２２】１          第一の尖端部
２          主部材
３ａ，３ｂ  二股に分岐した第二の先端部
４          永久磁石
【図１】
2015037453.tif 000003
【図２】
2015037453.tif 000004
【手続補正書】
【提出日】平成24年12月21日(2012.12.21)
【手続補正１】
【補正対象書類名】特許請求の範囲
【補正対象項目名】請求項１
【補正方法】変更
【補正の内容】
【請求項１】
ほぼ円柱の形状を有する主部材と、前記主部材の一方の底面に設けられてなる尖端部と、前記主部材の他方の底面に設けられ、手指を挟む間隔を有する二股に分岐した尖端部を有することを特徴とするつぼ刺激器具。
【手続補正２】
【補正対象書類名】明細書
【補正対象項目名】０００９
【補正方法】変更
【補正の内容】
【０００９】  即ち、本発明は、ほぼ円柱の形状を有する主部材と、前記主部材の一方の底面に設けられてなる尖端部と、前記主部材の他方の底面に設けられ、手指を挟む間隔を有する二股に分岐した尖端部を有することを特徴とするつぼ刺激器具である。
【手続補正３】
【補正対象書類名】明細書
【補正対象項目名】００２０
【補正方法】変更
【補正の内容】
【００２０】  さらに、ここでは特に具体的な図を示さないが、主部材の内部に設けられている空洞には、香料を封入した容器を挿入することが可能で、各種パワーストンを空洞に挿入したり、つぼ刺激器具の適当な部位に埋め込んだりすることで、効果向上が期待されることも、前記の通りである。